(57)【要約】【課題】  鍵穴が異物の進入によって操作不能になることを防止する二段開錠型ロック及びその開錠方法を提供する。【解決手段】  カギ１０を外筒２０における鍵穴２１に挿入し、カギ１０の刻み１１が外筒２０の内部における中心部材３０の第一溝３１を通過すると共に、中心部材３０の後部におけるロック部材４０を通過するステップ１と、カギ１０を所定の角度に回転させ、刻み１１を第一溝３１と交差する第二溝３２に合せた後、カギ１０を第二溝３２の内部に抜き戻すステップ２と、カギ１０の刻み１１が中心部材２４と外筒２０における内部位置決め部材３４と外部位置決め部材２３を中心部材２４と外筒２０の接合面部まで押圧すると共に、ロック部材４０を連動操作させることにより、開錠を行うステップ３とからなることを特徴とする。【選択図】        図４
2005232941.tif 000002
【特許請求の範囲】
【請求項１】
カギ１０を外筒２０における鍵穴２１に挿入し、カギ１０の刻み１１が外筒２０の内部に配設された中心部材３０の横向溝３１を通過すると共に、中心部材３０の後部に設けたロック部材４０を通過させるステップ１と、
カギ１０を所定の角度に回転させ、前記刻み１１を横向溝３１と交差する縦向溝３２に一致させた後、カギ１０の刻み１１を縦向溝３２の内部に抜き戻すステップ２と、
カギ１０の刻み１１が中心部材２４と外筒２０における内部位置決め部材３４及び外部位置決め部材２３を前記中心部材２４と前記外筒２０の接合面部まで押圧すると共に、ロック部材４０を連動操作可能とすることにより、開錠を行うステップ３とからなることを特徴とする二段開錠型ロックの開錠方法。
【請求項２】
一端に刻み１１を有するカギ１０と、一端に鍵穴２１が形成されると共に、内部に中心部材３０が設けられる外筒２０とを備え、鍵穴２１と対応する中心部材３０に前後方向に貫通可能な横向溝３１と、該横向溝３１と交差する縦向溝３２が形成されると共に、後端にロック部材４０が設けられることを特徴とする二段開錠型ロック。
【請求項３】
前記外筒２０の上、下部に対応する複数の位置決め孔２２が形成されると共に、内部に外部位置決め部材２３とスプリング２４が設けられ、該中心部材３０の上、下部に位置決め孔２２と対応する位置決め孔３３が形成されると共に、内部に内部位置決め部材３４が設けられることを特徴とする請求項２に記載の二段開錠型ロック。
【請求項４】
前記ロック部材４０はプレートであることを特徴とする請求項２又は３に記載の二段開錠型ロック。
【請求項５】
前記横向溝３１と縦向溝３２は十字状のように交差することを特徴とする請求項４に記載の二段開錠型ロック。
【請求項６】
前記ロック部材４０に夫々横向溝３１と縦向溝３２と対応する扇形孔４１４２が形成されることを特徴とする請求項５に記載の二段開錠型ロック。
【請求項７】
前記内部位置決め部材３４と外部位置決め部材２３は異なる深みを有することを特徴とする請求項６に記載の二段開錠型ロック。
【請求項８】
前記ロック部材４０は互いに噛合する第一歯車４３と第二歯車４４を有し、第二歯車４４にロックロッド４５が設けられることを特徴とする請求項２又は３に記載の二段開錠型ロック。
【発明の詳細な説明】
【技術分野】
【０００１】
本発明は、特に鍵穴が異物の進入によって操作不可能になることを防止する二段開錠型ロック及びその開錠方法に関するものである。
【背景技術】
【０００２】
ロックは盗難防止の効果を達成できるので、日常生活によく使用されるものである。従来のロック及びその開錠方法は、外筒と中心部材（シリンダ部）における鍵穴が互いに対応する縦向孔であると共に、中心部材と外筒の内部に設けられる外部位置決め部材と内部位置決め部材も夫々中心部材と外筒における位置決め孔に設けられている。又、前記のロックは公知構造であるため、特に特許文献や非特許文献には記載されていない。
【発明の開示】
【発明が解決しようとする課題】
【０００３】
しかしながら、上記の従来のロックには、以下のような問題がある。
１）  他人が開錠工具を簡単に鍵穴に挿入することができると共に、この開錠工具によってロックが開錠されるので、盗難防止の効果はあまり良くない。
２）  鍵穴の内部に異物、例えば、ガム、楊枝、或いは紙屑などが挿入された場合、使用者がカギを鍵穴に挿入する際、異物が鍵穴のより奥の位置に押し込まれるため、開錠操作が行いにくくなる。
【０００４】
そこで、出願されたのが本発明であって、鍵穴が異物の進入によって操作不能になることを防止する二段開錠型ロック及びその開錠方法を提供することを目的としている。
【課題を解決するための手段】
【０００５】
本願の請求項１の発明は、カギ１０を外筒２０における鍵穴２１に挿入し、カギ１０の刻み１１が外筒２０の内部に配設された中心部材３０の横向溝３１を通過すると共に、中心部材３０の後部に設けたロック部材４０を通過させるステップ１と、カギ１０を所定の角度に回転させ、前記刻み１１を横向溝３１と交差する縦向溝３２に一致させた後、カギ１０の刻み１１を縦向溝３２の内部に抜き戻すステップ２と、カギ１０の刻み１１が中心部材２４と外筒２０における内部位置決め部材３４及び外部位置決め部材２３を前記中心部材２４と前記外筒２０の接合面部まで押圧すると共に、ロック部材４０を連動操作可能とすることにより、開錠を行うステップ３とからなることを特徴とする二段開錠型ロックの開錠方法である。
【０００６】
請求項２の発明は、一端に刻み１１を有するカギ１０と、一端に鍵穴２１が形成されると共に、内部に中心部材３０が設けられる外筒２０とを備え、鍵穴２１と対応する中心部材３０に前後方向に貫通可能な横向溝３１と、該横向溝３１と交差する縦向溝３２が形成されると共に、後端にロック部材４０が設けられることを特徴とする二段開錠型ロックである。
【０００７】
請求項３の発明は、請求項２に記載の二段開錠型ロックにおいて、前記外筒２０の上、下部に対応する複数の位置決め孔２２が形成されると共に、内部に外部位置決め部材２３とスプリング２４が設けられ、該中心部材３０の上、下部に位置決め孔２２と対応する位置決め孔３３が形成されると共に、内部に内部位置決め部材３４が設けられることを特徴とする。
【０００８】
請求項４の発明は、請求項２又は３に記載の二段開錠型ロックにおいて、前記ロック部材４０はプレートであることを特徴とする。
【０００９】
請求項５の発明は、請求項４に記載の二段開錠型ロックにおいて、前記横向溝３１と縦向溝３２は十字状に交差していることを特徴とする。
【００１０】
請求項６の発明は、請求項５に記載の二段開錠型ロックにおいて、前記ロック部材４０に夫々横向溝３１と縦向溝３２と対応する扇形孔４１４２が形成されることを特徴とする。
【００１１】
請求項７の発明は、請求項６に記載の二段開錠型ロックにおいて、前記内部位置決め部材３４と外部位置決め部材２３は異なる深みを有することを特徴とする。
【００１２】
請求項８の発明は、請求項２又は３に記載の二段開錠型ロックにおいて、前記ロック部材４０は互いに噛合する第一歯車４３と第二歯車４４を有し、第二歯車４４にロックロッド４５が設けられることを特徴とする。
【発明の効果】
【００１３】
本発明は上記の課題を解決するものであり、外筒の鍵穴は内部位置決め部材を隠蔽することにより、他人が開錠工具を用いて開錠操作を行うことをが防止でき、又、異物が鍵穴に挿入された場合、カギの刻みが該異物を横向溝から外へ押し出すことにより、開錠不可能になることを防止できる。
【発明を実施するための最良の形態】
【００１４】
以下、添付図面を参照して本発明の好適な実施の形態を詳細に説明する。
【００１５】
図１は本発明に係る二段開錠型ロック及びカギの斜視図であり、図２は本発明に係る二段開錠型ロックの分解斜視図であり、図３は本発明に係る二段開錠型ロックの背面図であり、図４は本発明に係る二段開錠型ロックにカギを挿入する状態を示す断面図であり、図５は図4のカギを回転する状態を示す断面図であり、図６は図４のカギをロックから抜き戻した状態を示す断面図であり、図７は本発明に係る二段開錠型ロックの他の実施例を示す正面図であり、図８は図7の背面図である。
【実施例１】
【００１６】
図１乃至図４に示すように、本発明に係る二段開錠型ロックの開錠方法は以下のステップを有する。
ステップ１：  カギ１０を外筒２０における鍵穴２１に挿入し、カギ１０の刻み１１が外筒２０の内部における中心部材３０の横向溝３１を通過すると共に、中心部材３０の後部におけるロック部材４０を通過させる。
ステップ２：  図５に示すように、カギ１０を所定の角度に回転させ、刻み１１を横向溝３１と十字状に交差する縦向溝３２に合せた後、カギ１０を縦向溝３２の内部に抜き戻す。
ステップ３：  図６に示すように、カギ１０の刻み１１が、中心部材２４と外筒２０における内部位置決め部材３４と外部位置決め部材２３を中心部材２４と外筒２０の接合面部まで押圧すると共に、ロック部材４０を連動操作させることにより、開錠を行う。
【００１７】
又、前記のロック部材４０は様々な制御部材に交換することができる。
本発明の外筒２０の鍵穴２１は内部位置決め部材３４を隠蔽することにより、他人が開錠工具によって開錠操作を行うことを防止でき、又、異物が鍵穴２１に挿入された場合、カギ１０の刻み１１が該異物を横向溝３１から外へ押し出すことにより、開錠不可能になることを防止できる。
【００１８】
図１乃至図４に示すように、本発明に係る二段開錠型ロックは、一端に刻み１１を有するカギ１０と、一端に鍵穴２１が形成されると共に、内部に中心部材（シリンダ）３０が設けられる外筒２０とを備え、該外筒２０の上、下部には対応する複数の位置決め孔２２が形成されると共に、各位置決め孔２の内部には外部位置決め部材２３とスプリング２４が配設され、鍵穴２１と対応する中心部材３０に前後貫通の横向溝３１と、該横向溝３１と交差する縦向溝３２が形成され、該中心部材３０の上、下部に位置決め孔２２と対応する位置決め孔３３が形成されると共に、各位置決め孔３３の内部に内部位置決め部材３４が設けられる。各内部位置決め部材３４と外部位置決め部材２３は異なる深さを有するので、内部位置決め部材３４と外部位置決め部材２３の接合面部が中心部材３０と外筒２０の接合面部に位置しない場合、中心部材３０を回転できない閉錠状態になる。又、中心部材３０の後端にプレート状のロック部材４０が設けられ、該ロック部材４０に夫々横向溝３１と縦向溝３２と対応する扇形孔４１，４２が形成される。
【実施例２】
【００１９】
図７及び図８は本発明の第２実施例を示すもので、この第２実施例においては前記の構造と殆ど等しく、異なる部分は該ロック部材４０が互いに噛合する第一歯車４３と第二歯車４４を有し、第二歯車４４に前記ロック部材４０と等しい効果を有するロックロッド４５が設けられたものである。
【産業上の利用可能性】
【００２０】
本発明は前記の構造を有するので、外筒の鍵穴は内部位置決め部材を隠蔽することにより、他人が開錠工具によって開錠操作を行うことを防止でき、又、異物が鍵穴に挿入された場合、カギの刻みが該異物を横向溝から外方へ押し出すことにより、開錠不可能になることを防止できる。
【図面の簡単な説明】
【００２１】
【図１】本発明の第１実施例にかかる二段開錠型ロック及びカギの斜視図である。
【図２】本発明の第１実施例に係る二段開錠型ロックの分解斜視図である。
【図３】本発明の第１実施例に係る二段開錠型ロックの背面図である。
【図４】本発明の第１実施例に係る二段開錠型ロックにカギを挿入する状態を示す断面図である。
【図５】図４のカギを回転する状態を示す断面図である。
【図６】図４のカギをロックから抜き戻す状態を示す断面図である。
【図７】本発明に係る二段開錠型ロックの第２実施例を示す正面図である。
【図８】図７の背面図である。
【符号の説明】
【００２２】
１０        カギ
１１        刻み
２０        外筒
２１        鍵穴
２２        位置決め孔
２３        外部位置決め部材
２４        スプリング
３０        中心部材（シリンダ）
３１        横向溝
３２        縦向溝
３３        位置決め孔
３４        内部位置決め部材
４０        ロック部材
４１        扇形孔
４２        扇形孔
４３        第一歯車
４４        第二歯車
４５        ロックロッド
【図１】
2005232941.tif 000003
【図２】
2005232941.tif 000004
【図３】
2005232941.tif 000005
【図４】
2005232941.tif 000006
【図５】
2005232941.tif 000007
【図６】
2005232941.tif 000008
【図７】
2005232941.tif 000009
【図８】
2005232941.tif 000010
【手続補正書】
【提出日】平成16年5月11日(2004.5.11)
【手続補正１】
【補正対象書類名】特許請求の範囲
【補正対象項目名】全文
【補正方法】変更
【補正の内容】
【特許請求の範囲】
【請求項１】
カギ１０を外筒２０における鍵穴２１に挿入し、カギ１０の刻み１１が外筒２０の内部に配設された中心部材３０の第一溝３１を通過すると共に、中心部材３０の後部に設けたロック部材４０を通過させるステップ１と、
カギ１０を所定の角度に回転させ、前記刻み１１を第一溝３１と交差する第二溝３２に一致させた後、カギ１０の刻み１１を第二溝３２の内部に抜き戻すステップ２と、
カギ１０の刻み１１が中心部材２４と外筒２０における内部位置決め部材３４及び外部位置決め部材２３を前記中心部材２４と前記外筒２０の接合面部まで押圧すると共に、ロック部材４０を連動操作可能とすることにより、開錠を行うステップ３とからなることを特徴とする二段開錠型ロックの開錠方法。
【請求項２】
一端に刻み１１を有するカギ１０と、一端に鍵穴２１が形成されると共に、内部に中心部材３０が設けられる外筒２０とを備え、鍵穴２１と対応する中心部材３０に前後方向に貫通可能な第一溝３１と、該第一溝３１と交差する第二溝３２が形成されると共に、後端にロック部材４０が設けられることを特徴とする二段開錠型ロック。
【請求項３】
前記外筒２０の上、下部に対応する複数の位置決め孔２２が形成されると共に、内部に外部位置決め部材２３とスプリング２４が設けられ、該中心部材３０の上、下部に位置決め孔２２と対応する位置決め孔３３が形成されると共に、内部に内部位置決め部材３４が設けられることを特徴とする請求項２に記載の二段開錠型ロック。
【請求項４】
前記ロック部材４０はプレートであることを特徴とする請求項２又は３に記載の二段開錠型ロック。
【請求項５】
前記第一溝３１と第二溝３２は十字状のように交差することを特徴とする請求項４に記載の二段開錠型ロック。
【請求項６】
前記ロック部材４０に夫々第一溝３１と第二溝３２と対応する扇形孔４１，４２が形成されることを特徴とする請求項５に記載の二段開錠型ロック。
【請求項７】
前記内部位置決め部材３４と外部位置決め部材２３は異なる深みを有することを特徴とする請求項６に記載の二段開錠型ロック。
【請求項８】
前記ロック部材４０は互いに噛合する第一歯車４３と第二歯車４４を有し、第二歯車４４にロックロッド４５が設けられることを特徴とする請求項２又は３に記載の二段開錠型ロック。
【手続補正２】
【補正対象書類名】明細書
【補正対象項目名】全文
【補正方法】変更
【補正の内容】
【発明の詳細な説明】
【技術分野】
【０００１】
本発明は、特に鍵穴が異物の進入によって操作不可能になることを防止する二段開錠型ロック及びその開錠方法に関するものである。
【背景技術】
【０００２】
ロックは盗難防止の効果を達成できるので、日常生活によく使用されるものである。従来のロック及びその開錠方法は外筒と中心部材（シリンダ部）における鍵穴が互いに対応する縦向孔であると共に、中心部材と外筒の内部に設けられる外部位置決め部材と内部位置決め部材も夫々中心部材と外筒における位置決め孔に設けられている。又、前記のロックは公知構造であるため、特に特許文献や非特許文献には記載されていない。
【発明の開示】
【発明が解決しようとする課題】
【０００３】
しかしながら、上記の従来のロックには、以下のような問題がある。
１）  他人が開錠工具を簡単に鍵穴に挿入することができると共に、この開錠工具によってロックが開錠されるので、盗難防止の効果はあまり良くない。
２）  鍵穴の内部に異物、例えば、ガム、楊枝、或いは紙屑などが挿入された場合、使用者がカギを鍵穴に挿入する際、異物が鍵穴のより奥の位置に押し込まれるため、開錠操作が行いにくくなる。
【０００４】
そこで、出願されたのが本発明であって、鍵穴が異物の進入によって操作不能になることを防止する二段開錠型ロック及びその開錠方法を提供することを目的としている。
【課題を解決するための手段】
【０００５】
本願の請求項１の発明は、カギ１０を外筒２０における鍵穴２１に挿入し、カギ１０の刻み１１が外筒２０の内部に配設された中心部材３０の第一溝３１を通過すると共に、中心部材３０の後部に設けたロック部材４０を通過させるステップ１と、カギ１０を所定の角度に回転させ、前記刻み１１を第一溝３１と交差する第二溝３２に一致させた後、カギ１０の刻み１１を第二溝３２の内部に抜き戻すステップ２と、カギ１０の刻み１１が中心部材２４と外筒２０における内部位置決め部材３４及び外部位置決め部材２３を前記中心部材２４と前記外筒２０の接合面部まで押圧すると共に、ロック部材４０を連動操作可能とすることにより、開錠を行うステップ３とからなることを特徴とする二段開錠型ロックの開錠方法である。
【０００６】
請求項２の発明は、一端に刻み１１を有するカギ１０と、一端に鍵穴２１が形成されると共に、内部に中心部材３０が設けられる外筒２０とを備え、鍵穴２１と対応する中心部材３０に前後方向に貫通可能な第一溝３１と、該第一溝３１と交差する第二溝３２が形成されると共に、後端にロック部材４０が設けられることを特徴とする二段開錠型ロックである。
【０００７】
請求項３の発明は、請求項２に記載の二段開錠型ロックにおいて、前記外筒２０の上、下部に対応する複数の位置決め孔２２が形成されると共に、内部に外部位置決め部材２３とスプリング２４が設けられ、該中心部材３０の上、下部に位置決め孔２２と対応する位置決め孔３３が形成されると共に、内部に内部位置決め部材３４が設けられることを特徴とする。
【０００８】
請求項４の発明は、請求項２又は３に記載の二段開錠型ロックにおいて、前記ロック部材４０はプレートであることを特徴とする。
【０００９】
請求項５の発明は、請求項４に記載の二段開錠型ロックにおいて、前記第一溝３１と第二溝３２は十字状に交差していることを特徴とする。
【００１０】
請求項６の発明は、請求項５に記載の二段開錠型ロックにおいて、前記ロック部材４０に夫々第一溝３１と第二溝３２と対応する扇形孔４１，４２が形成されることを特徴とする。
【００１１】
請求項７の発明は、請求項６に記載の二段開錠型ロックにおいて、前記内部位置決め部材３４と外部位置決め部材２３は異なる深みを有することを特徴とする。
【００１２】
請求項８の発明は、請求項２又は３に記載の二段開錠型ロックにおいて、前記ロック部材４０は互いに噛合する第一歯車４３と第二歯車４４を有し、第二歯車４４にロックロッド４５が設けられることを特徴とする。
【発明の効果】
【００１３】
本発明は上記の課題を解決するものであり、外筒の鍵穴は内部位置決め部材を隠蔽することにより、他人が開錠工具を用いて開錠操作を行うことが防止でき、又、異物が鍵穴に挿入された場合、カギの刻みが該異物を第一溝から外へ押し出すことにより、開錠不可能になることを防止できる。
【発明を実施するための最良の形態】
【００１４】
以下、添付図面を参照して本発明の好適な実施の形態を詳細に説明する。
【００１５】
図１は本発明に係る二段開錠型ロック及びカギの斜視図であり、図２は本発明に係る二段開錠型ロックの分解斜視図であり、図３は本発明に係る二段開錠型ロックの背面図であり、図４は本発明に係る二段開錠型ロックにカギを挿入する状態を示す断面図であり、図５は図４のカギを回転する状態を示す断面図であり、図６は図４のカギをロックから抜き戻した状態を示す断面図であり、図７は本発明に係る二段開錠型ロックの他の実施例を示す正面図であり、図８は図7の背面図である。
【実施例１】
【００１６】
図１乃至図４に示すように、本発明に係る二段開錠型ロックの開錠方法は以下のステップを有する。
ステップ１：  カギ１０を外筒２０における鍵穴２１に挿入し、カギ１０の刻み１１が外筒２０の内部における中心部材３０の第一溝３１を通過すると共に、中心部材３０の後部におけるロック部材４０を通過させる。
ステップ２：  図５に示すように、カギ１０を所定の角度に回転させ、刻み１１を第一溝３１と十字状に交差する第二溝３２に合せた後、カギ１０を第二溝３２の内部に抜き戻す。
ステップ３：  図６に示すように、カギ１０の刻み１１が、中心部材２４と外筒２０における内部位置決め部材３４と外部位置決め部材２３を中心部材２４と外筒２０の接合面部まで押圧すると共に、ロック部材４０を連動操作させることにより、開錠を行う。
【００１７】
又、前記のロック部材４０は様々な制御部材に交換することができる。
本発明の外筒２０の鍵穴２１は内部位置決め部材３４を隠蔽することにより、他人が開錠工具によって開錠操作を行うことを防止でき、又、異物が鍵穴２１に挿入された場合、カギ１０の刻み１１が該異物を第一溝３１から外へ押し出すことにより、開錠不可能になることを防止できる。
【００１８】
図１乃至図４に示すように、本発明に係る二段開錠型ロックは、一端に刻み１１を有するカギ１０と、一端に鍵穴２１が形成されると共に、内部に中心部材（シリンダ）３０が設けられる外筒２０とを備え、該外筒２０の上、下部には対応する複数の位置決め孔２２が形成されると共に、各位置決め孔２の内部には外部位置決め部材２３とスプリング２４が配設され、鍵穴２１と対応する中心部材３０に前後貫通の第一溝３１と、該第一溝３１と交差する第二溝３２が形成され、該中心部材３０の上、下部に位置決め孔２２と対応する位置決め孔３３が形成されると共に、各位置決め孔３３の内部に内部位置決め部材３４が設けられる。各内部位置決め部材３４と外部位置決め部材２３は異なる深さを有するので、内部位置決め部材３４と外部位置決め部材２３の接合面部が中心部材３０と外筒２０の接合面部に位置しない場合、中心部材３０を回転できない閉錠状態になる。又、中心部材３０の後端にプレート状のロック部材４０が設けられ、該ロック部材４０に夫々第一溝３１と第二溝３２と対応する扇形孔４１，４２が形成される。
【実施例２】
【００１９】
図７及び図８は本発明の第２実施例を示すもので、この第２実施例においては前記の構造と殆ど等しく、異なる部分は該ロック部材４０が互いに噛合する第一歯車４３と第二歯車４４を有し、第二歯車４４に前記ロック部材４０と等しい効果を有するロックロッド４５が設けられたものである。
【産業上の利用可能性】
【００２０】
本発明は前記の構造を有するので、外筒の鍵穴は内部位置決め部材を隠蔽することにより、他人が開錠工具によって開錠操作を行うことを防止でき、又、異物が鍵穴に挿入された場合、カギの刻みが該異物を第一溝から外方へ押し出すことにより、開錠不可能になることを防止できる。
【図面の簡単な説明】
【００２１】
【図１】本発明の第１実施例にかかる二段開錠型ロック及びカギの斜視図である。
【図２】本発明の第１実施例に係る二段開錠型ロックの分解斜視図である。
【図３】本発明の第１実施例に係る二段開錠型ロックの背面図である。
【図４】本発明の第１実施例に係る二段開錠型ロックにカギを挿入する状態を示す断面図である。
【図５】図４のカギを回転する状態を示す断面図である。
【図６】図４のカギをロックから抜き戻す状態を示す断面図である。
【図７】本発明に係る二段開錠型ロックの第２実施例を示す正面図である。
【図８】図７の背面図である。
【符号の説明】
【００２２】
１０        カギ
１１        刻み
２０        外筒
２１        鍵穴
２２        位置決め孔
２３        外部位置決め部材
２４        スプリング
３０        中心部材（シリンダ）
３１        第一溝
３２        第二溝
３３        位置決め孔
３４        内部位置決め部材
４０        ロック部材
４１        扇形孔
４２        扇形孔
４３        第一歯車
４４        第二歯車
４５        ロックロッド